(57)【要約】【課題】複数個の伸線用のダイスをダイス保持部の回転部材の外周部分の複数個の保持部に環状に配列保持し、回転部材の傾斜回転及び割出回転により複数個のダイスを順次、超音波ホーンに対向して超音波洗浄することができ、超音波ホーンによりダイスの表面や極細孔径のダイス孔の内面に付着している伸線加工により生じた粉状屑等の汚染物質を良好に洗浄することができる。【解決手段】ダイス保持部１は外周部分に複数個のダイスＤを環状に配列可能な複数個の保持部４ａをもつ回転部材４、回転部材の外周部分に配列された複数個のダイスが洗浄液Ｍ中に没入又は洗浄液中から露出するように回転部材を傾斜位置で傾斜回転自在に支持する支持機構５及び回転部材を割出回転可能な割出回転機構６からなる。【選択図】図１
2012045517.tif 000002
【特許請求の範囲】
【請求項１】
伸線用のダイスを洗浄液中において超音波洗浄する装置であって、上記複数個の伸線用のダイスを保持するダイス保持部と、上記洗浄液を収容する洗浄液槽と、該洗浄液中に没入して該ダイスに対向する超音波ホーンをもつ超音波振動部とを備えてなり、上記ダイス保持部は外周部分に上記複数個のダイスを環状に配列可能な複数個の保持部をもつ回転部材、該回転部材の外周部分に配列された複数個のダイスが洗浄液中に没入又は洗浄液中から露出するように該回転部材を傾斜位置で傾斜回転自在に支持する支持機構及び該回転部材を割出回転可能な割出回転機構からなることを特徴とする伸線用のダイス洗浄装置。
【請求項２】
上記支持機構に上記回転部材を上記傾斜位置と水平位置との間で起倒回動させる起倒機構を設けてなることを特徴とする請求項１記載の伸線用のダイス洗浄装置。
【請求項３】
上記超音波振動部の超音波ホーンを退避揺動して上記回転部材の起倒回動を許容する退避機構を設けてなることを特徴とする請求項２記載の伸線用のダイス洗浄装置。
【請求項４】
上記割出回転機構の割出回転を制御する制御部を備えてなることを特徴とする請求項１〜３のいずれか１項に記載の伸線用のダイス洗浄装置。
【請求項５】
上記保持部は上記ダイスを保持載置可能な有底嵌合孔状に形成されていることを特徴とする請求項１〜４のいずれか１項に記載の伸線用のダイス洗浄装置。
【請求項６】
上記割出回転機構は割出回転可能な割出回転用モータを含んでなることを特徴とする請求項１〜５のいずれか１項に記載の伸線用のダイス洗浄装置。
【発明の詳細な説明】
【技術分野】
【０００１】
本発明は、伸線用のダイスを洗浄液中において超音波洗浄する伸線用のダイス洗浄装置に関するものである。
【背景技術】
【０００２】
従来、この種の伸線用のダイス洗浄装置として、伸線用のダイスを洗浄液中に沈下浸漬し、ダイスに洗浄液を介して所定の周波数及び出力の超音波振動を加えてダイス孔やダイスの表面に付着している伸線加工により生じた粉状屑等の汚染物質を超音波洗浄する構造のものが知られている。
【先行技術文献】
【特許文献】
【０００３】
【特許文献１】特開平７−８１９８２号
【発明の概要】
【発明が解決しようとする課題】
【０００４】
しかしながらこれら従来構造の場合、単に、ダイスを洗浄液中に沈下浸漬し、洗浄液を介して超音波振動をダイスに加えて一個ずつ超音波洗浄することから、洗浄のための時間と人手を必要として、洗浄作業性に劣ることがあるという不都合を有している。
【課題を解決するための手段】
【０００５】
本発明はこのような不都合を解決することを目的とするもので、本発明のうち、請求項１記載の発明は、伸線用のダイスを洗浄液中において超音波洗浄する装置であって、上記複数個の伸線用のダイスを保持するダイス保持部と、上記洗浄液を収容する洗浄液槽と、該洗浄液中に没入して該ダイスに対向する超音波ホーンをもつ超音波振動部とを備えてなり、上記ダイス保持部は外周部分に上記複数個のダイスを環状に配列可能な複数個の保持部をもつ回転部材、該回転部材の外周部分に配列された複数個のダイスが洗浄液中に没入又は洗浄液中から露出するように該回転部材を傾斜位置で傾斜回転自在に支持する支持機構及び該回転部材を割出回転可能な割出回転機構からなることを特徴とする伸線用のダイス洗浄装置にある。
【０００６】
又、請求項２記載の発明は、上記支持機構に上記回転部材を上記傾斜位置と水平位置との間で起倒回動させる起倒機構を設けてなることを特徴とするものであり、又、請求項３記載の発明は、上記超音波振動部の超音波ホーンを退避揺動して上記回転部材の起倒回動を許容する退避機構を設けてなることを特徴とするものであり、又、請求項４記載の発明は、上記割出回転機構の割出回転を制御する制御部を備えてなることを特徴とするものであり、又、請求項５記載の発明は、上記保持部は上記ダイスを保持載置可能な有底嵌合孔状に形成されていることを特徴とするものであり、又、請求項６記載の発明は、上記割出回転機構は割出回転可能な割出回転用モータを含んでなるから、割出回転機構の構造を簡素化することができる。
【発明の効果】
【０００７】
本発明は上述の如く、請求項１記載の発明にあっては、複数個の伸線用のダイスをダイス保持部の回転部材の外周部分の複数個の保持部に環状に配列保持し、回転部材の傾斜回転及び割出回転により複数個のダイスを順次、超音波ホーンに対向して超音波洗浄することができ、超音波ホーンによりダイスの表面や極細孔径のダイス孔の内面に付着している伸線加工により生じた粉状屑等の汚染物質を良好に洗浄することができると共に複数個のダイスを能率的に洗浄することができ、かつ、複数個のダイスを連続して洗浄することができ、洗浄作業性を向上することができる。
【０００８】
又、請求項２記載の発明にあっては、上記支持機構に上記回転部材を上記傾斜位置と水平位置との間で起倒回動させる起倒機構を設けてなるから、回転部材の保持部に対する未洗浄のダイスの嵌合又は保持部からの洗浄済みのダイスの取出しを容易に行うことができ、又、請求項３記載の発明にあっては、上記超音波振動部の超音波ホーンを退避揺動して上記回転部材の起倒回動を許容する退避機構を設けてなるから、ダイスと超音波ホーンとを可及的に近接配置することができ、極細孔径のダイス孔の内面に付着している汚染物質を良好に洗浄することができ、又、請求項４記載の発明にあっては、上記割出回転機構の割出回転を制御する制御部を備えてなるから、回転部材の割出数、洗浄すべきダイスの数に伴う回転部材の回転角、回転部材の割出間欠回転における停止時間、超音波振動部の振動時間の設定等を行うことができ、洗浄すべきダイスの数に対する作業の融通性を高めることができ、又、請求項５記載の発明にあっては、上記保持部は上記ダイスを保持載置可能な有底嵌合孔状に形成されているから、回転部材に対するダイスの嵌脱作業を容易に行うことができ、又、請求項６記載の発明は、上記割出回転機構は割出回転可能な割出回転用モータを含んでなるから、割出回転機構の構造を簡素化することができる。
【図面の簡単な説明】
【０００９】
【図１】本発明の実施の形態例の全体側面図である。
【図２】本発明の実施の形態例の全体側面図である。
【図３】本発明の実施の形態例の部分平面図である。
【図４】本発明の実施の形態例の部分側断面図である。
【図５】本発明の実施の形態例の部分断面図である。
【発明を実施するための形態】
【００１０】
図１乃至図５は本発明の実施の形態例を示し、Ｄは伸線加工用のダイスであって、図１の如く、大別して、複数個の伸線用のダイスＤを保持するダイス保持部１と、洗浄液Ｍを収容する洗浄液槽２と、洗浄液Ｍ中に没入してダイスＤに対向する超音波ホーン３ａをもつ超音波振動部３とからなり、上記ダイス保持部１は外周部分の表面側に上記複数個のダイスＤを環状に配列可能な複数個の保持部４ａをもつ回転部材４、回転部材４の外周部分に配列された複数個のダイスＤ・・が洗浄液Ｍ中に没入又は洗浄液中から露出するように回転部材４を傾斜位置Ｋで傾斜回転自在に支持する支持機構５及び回転部材４を割出回転可能な割出回転機構６からなる。
【００１１】
又、この場合、上記支持機構５に上記回転部材４を図１に示す上記傾斜位置Ｋと図２に示す水平位置Ｌとの間で起倒回動させる起倒機構７が設けられ、かつ、この場合、図１から図２の如く、上記超音波振動部３の超音波ホーン３ａを退避揺動して上記回転部材４の起倒回動を許容する退避機構８が設けられ、更に、上記割出回転機構６の割出回転を制御する制御部９が設けられている。
【００１２】
この場合、機台１０の中央部に上記洗浄液槽２を配置し、洗浄液槽２の一方側部に上記洗浄液Ｍ中に没入してダイスＤに対向する超音波ホーン３ａをもつ超音波振動部３を配置し、他方側部に上記支持機構５及び起倒機構７によりダイス保持部１を配置している。
【００１３】
又、この場合、超音波振動部３は、超音波ホーン３ａ、超音波発振部３ｂ、保護ケース３ｃ及び図示省略の電源回路等からなり、上記退避機構８として、上記機台１０に立設した支柱体１１に上記超音波振動部３の保護ケース３ｃを支点軸３ｄにより上下退避揺動自在に設け、図示省略の係止機構により保護ケース３ｃを作業位置Ｑ及び退避位置Ｔに位置決め可能に設け、上記振動超音波ホーン３ａを退避揺動して上記回転部材４の起倒回動を許容するように構成している。
【００１４】
又、この場合、上記割出回転機構６は割出回転可能な割出回転用モータＥを含んで構成され、かつ、図１、図２の如く、上記支持機構５及び起倒機構７にあっては、上記機台１０に蝶番部材１２の一方板材１２ａを取付けると共に他方部材１２ｂに支持部材５ａを取り付け、支持部材５ａを蝶番部材１２の枢軸１２ｃにより起倒自在に設け、支持部材５ａに割出回転機構６としての割出回転可能な割出回転用モータＥを設け、この割出回転用モータＥの主軸６ａにダイス保持部１の円盤状の回転部材４を取付け、支持部材５ａに機台１０に当接可能な調節ボルト５ｂを設け、調節ボルト５ｂにより支持部材５ａを上記傾斜位置Ｋに位置決め可能に設けると共に図示省略の保持体により回転部材４を水平位置Ｌに保持可能に構成している。
【００１５】
又、この場合、複数個の伸線用のダイスＤを保持するダイス保持部１にあっては、図３及び図４の如く、上記回転部材４を円形板材４ｂ及びリング板状部材４ｃにより形成し、リング板状部材４ｃにダイスＤの外径に嵌合する内径の嵌合孔４ｄを複数個に環状に配列形成すると共に円形板材４ｂに嵌合孔４ｄより径小の取出用の小孔４ｅを形成し、この円形板材４ｂ及びリング板状部材４ｃを積層状に固着して保持部４ａを上記ダイスを保持載置可能な有底嵌合孔状に形成し、この回転部材４をボルト４ｆにより割出回転用モータＥの主軸６ａに固定して構成している。
【００１６】
又、この場合、上記制御部９は、図示省略のＣＰＵ及び表示用ディスプレイを備えてなり、回転部材４の割出数、洗浄すべきダイスＤの数に伴う回転部材４の回転角、回転部材の割出間欠回転における停止時間、超音波振動部３の振動時間の設定等を行うように構成され、例えば、図３の如く、回転部材４に２５個の保持部４ａが形成され、洗浄すべきダイスＤの数が１１個のような場合、１１個のダイスＤの洗浄が完了したとき、回転部材４の回転が停止して作業を完了させることができる。
【００１７】
この実施の形態例は上記構成であるから、複数個の伸線用のダイスＤ・・をダイス保持部１の回転部材４の外周部分の複数個の保持部４ａ・・に環状に配列保持し、割出回転機構６としての割出回転用モータＥにより回転部材４を割出回転し、回転部材４は支持機構５により複数個のダイスが洗浄液中に没入又は洗浄液中から露出するように傾斜位置Ｋで傾斜回転自在に支持され、洗浄液中に没入したときダイスＤに超音波振動部３の超音波ホーン３ａが対向し、図５の如く、ダイスＤは洗浄液Ｍ中において超音波洗浄されることになり、この回転部材４の傾斜回転及び割出回転により複数個のダイスＤは順次超音波ホーン３ａに対向して超音波洗浄されることになる。
【００１８】
従って、複数個の伸線用のダイスＤ・・をダイス保持部１の回転部材４の外周部分の複数個の保持部４ａ・・に環状に配列保持し、回転部材４の傾斜回転及び割出回転により複数個のダイスＤを順次、超音波ホーン３ａに対向して超音波洗浄することができ、超音波ホーン３ａによりダイスＤの表面や極細孔径のダイス孔Ｄ１の内面に付着している伸線加工により生じた粉状屑等の汚染物質を良好に洗浄することができると共に複数個のダイスＤ・・を能率的洗浄することができ、かつ、複数個のダイスＤ・・を連続して洗浄することができ、洗浄作業性を向上することができる。
【００１９】
この場合、上記支持機構５に上記回転部材４を上記傾斜位置Ｋと水平位置Ｌとの間で起倒回動させる起倒機構７を設けてなるから、回転部材４の保持部４ａ・・に対する未洗浄のダイスＤの嵌合又は保持部４ａからの洗浄済みのダイスＤ・・の取出しを容易に行うことができ、又、この場合、上記超音波振動部３の超音波ホーン３ａを退避揺動して上記回転部材４の起倒回動を許容する退避機構８を設けてなるから、ダイスＤと超音波ホーン３ａとを可及的に近接配置することができ、極細孔径のダイス孔Ｄ１の内面に付着している汚染物質を良好に洗浄することができ、又、この場合、上記割出回転用モータの割出回転を制御する制御部９を備えてなるから、回転部材４の割出数、洗浄すべきダイスＤの数に伴う回転部材４の回転角、回転部材の割出間欠回転における停止時間、超音波振動部３の振動時間の設定等を行うことができ、洗浄すべきダイスＤの数に対する作業の融通性を高めることができ、又、この場合、上記保持部４ａ・・はダイスＤの外径に嵌合する内径の嵌合孔４ｄ及び径小の小孔４ｅからなり、上記ダイスＤを保持載置可能な有底嵌合孔状に形成されているから、回転部材４に対するダイスＤの位置決めを容易に行うことができると共に径小の小孔４ｅに指をいれて押すことによりダイスＤを容易に取出すことができ、回転部材４に対するダイスＤの嵌脱作業を容易に行うことができ、又、この場合、上記割出回転機構６は割出回転可能な割出回転用モータＥを含んでなるから、割出回転機構６の構造を簡素化することができる。
【００２０】
尚、本発明は上記実施の形態例に限られるものではなく、ダイス保持部１、洗浄液槽２、超音波振動部３，超音波ホーン３ａ、回転部材４、支持機構５、割出回転機構６、起倒機構７及び退避機構８等の構造等は適宜変更して設計されるものである。
【００２１】
以上、所期の目的を充分達成することができる。
【符号の説明】
【００２２】
Ｄ    ダイス
Ｍ    洗浄液
Ｋ    傾斜位置
Ｌ    水平位置
Ｅ    割出回転用モータ
１    ダイス保持部
２    洗浄液槽
３    超音波振動部
３ａ    超音波ホーン
４    回転部材
４ａ    保持部
５    支持機構
６    割出回転機構
７    起倒機構
８    退避機構
９    制御部
【図１】
2012045517.tif 000003
【図２】
2012045517.tif 000004
【図３】
2012045517.tif 000005
【図４】
2012045517.tif 000006
【図５】
2012045517.tif 000007